(57)【要約】本出願は、インスタントメッセージアプリケーションに基づく人員及び機器の集中管理のための方法及び装置を提供する。方法は、プリセットコミュニティに結合されているスマートデバイスを判断することと、プリセットコミュニティのコミュニティメンバが、インスタントメッセージアプリケーション内で組織構成ページを閲覧するときに、スマートデバイスの情報が、組織構成ページ内に提示されるように、スマートデバイスの情報をプリセットコミュニティの組織構成に追加することと、を含み得る。本出願の技術的解決策を通して、コミュニティ下のメンバ及びスマートデバイスを均等に管理するために、スマートデバイスの情報が、コミュニティの組織構成に追加され、提示され得る。
2019530108.tif 000002
【特許請求の範囲】
【請求項１】
インスタントメッセージアプリケーションに基づく人員及び機器の集中管理のための方法であって、
プリセットコミュニティに結合されているスマートデバイスを判断することと、
前記プリセットコミュニティのコミュニティメンバが、前記インスタントメッセージアプリケーション内で組織構成ページを閲覧するときに、前記スマートデバイスの情報が、前記組織構成ページ内に提示されるように、前記スマートデバイスの前記情報を前記プリセットコミュニティの組織構成に追加することと、を含む、前記方法。
【請求項２】
前記スマートデバイスの前記情報を前記プリセットコミュニティの前記組織構成に前記追加することが、
前記組織構成において機器管理レベルを追加すること、及び前記スマートデバイスの前記情報を前記機器管理レベルに関連付けることを含み、
前記組織構成が、前記コミュニティメンバに対応する複数のメンバ管理レベルをさらに含み、前記プリセットコミュニティの前記コミュニティメンバの情報が、対応するメンバ管理レベルに関連付けられる、請求項１に記載の方法。
【請求項３】
前記機器管理レベルが、複数のサブレベルを含み、各サブレベルが、同一種類のスマートデバイスに対応する、請求項２に記載の方法。
【請求項４】
任意のスマートデバイスについて前記プリセットコミュニティの管理ユーザの結合管理要求が受信されるとき、前記任意のスマートデバイスを前記プリセットコミュニティに結合すること、または解放することをさらに含む、請求項１に記載の方法。
【請求項５】
インスタントメッセージアプリケーションに基づく人員及び機器の集中管理のための方法であって、
プリセットコミュニティの組織構成を取得することであって、前記組織構成が、前記プリセットコミュニティのコミュニティメンバ及び前記プリセットコミュニティに関連付けられるスマートデバイスに対応する、前記取得することと、
前記プリセットコミュニティ下の前記コミュニティメンバまたは前記スマートデバイスの情報を提示するために、前記インスタントメッセージアプリケーションにおいて組織構成ページを表示することと、を含む、前記方法。
【請求項６】
前記コミュニティメンバが、前記組織構成内の対応するメンバ管理レベルに分類され、前記スマートデバイスが、前記組織構成内の対応する機器管理レベルに分類され、
前記プリセットコミュニティ下の前記コミュニティメンバまたは前記スマートデバイスの前記情報を提示するために、前記インスタントメッセージアプリケーションにおいて前記組織構成ページを表示することが、
前記組織構成ページを表示することであって、前記組織構成ページが、前記メンバ管理レベルに対応するメンバ管理レベルポータル、及び前記機器管理レベルに対応する機器管理レベルポータルを含む、前記表示することと、
任意のメンバ管理レベルポータルのためのトリガ動作が検出されるとき、前記対応するメンバ管理レベル下の前記コミュニティメンバの前記情報を提示することと、任意の機器管理レベルポータルのためのトリガ動作が検出されるとき、前記対応する機器管理レベル下の前記スマートデバイスの前記情報を提示することと、を含む、請求項５に記載の方法。
【請求項７】
前記スマートデバイスの動作状態を取得することと、
前記組織構成ページ内で前記スマートデバイスの前記動作状態を示すことと、をさらに含む、請求項５に記載の方法。
【請求項８】
任意のスマートデバイスの前記情報がトリガされることを検出するとき、前記スマートデバイスの詳細ページに切り替えることであって、前記詳細ページが、前記スマートデバイスのための機能ボタンを含む、前記切り替えることと、
任意の機能キーがトリガされるとき、前記スマートデバイスのための対応する制御機能を実行することと、をさらに含む、請求項５に記載の方法。
【請求項９】
インスタントメッセージアプリケーションに基づく人員及び機器の集中管理のための装置であって、
プリセットコミュニティに結合されているスマートデバイスを判断するように構成される判断ユニットと、
前記プリセットコミュニティのコミュニティメンバが、前記インスタントメッセージアプリケーション内で組織構成ページを閲覧するときに、前記スマートデバイスの情報が、前記組織構成ページ内に提示されるように、前記スマートデバイスの前記情報を前記プリセットコミュニティの組織構成に追加するように構成される追加ユニットと、を備える、前記装置。
【請求項１０】
前記追加ユニットが、
前記組織構成において機器管理レベルを追加し、前記スマートデバイスの情報を前記機器管理レベルに関連付けるように特に構成され、
前記組織構成が、前記コミュニティメンバに対応する複数のメンバ管理レベルをさらに含み、前記プリセットコミュニティの前記コミュニティメンバの前記情報が、対応するメンバ管理レベルに関連付けられる、請求項９に記載の装置。
【請求項１１】
前記機器管理レベルが、複数のサブレベルを含み、各サブレベルが、同一種類のスマートデバイスに対応する、請求項１０に記載の装置。
【請求項１２】
任意のスマートデバイスについて前記プリセットコミュニティの管理ユーザの結合管理要求を受信するとき、前記スマートデバイスを前記プリセットコミュニティに結合または解放するように構成される管理ユニットをさらに備える、請求項９に記載の装置。
【請求項１３】
インスタントメッセージアプリケーションに基づく人員及び機器の集中管理のための装置であって、
プリセットコミュニティの組織構成を取得するように構成される取得ユニットであって、前記組織構成が、前記プリセットコミュニティのコミュニティメンバ及び前記プリセットコミュニティに関連付けられるスマートデバイスに対応する、前記取得ユニットと、
前記プリセットコミュニティ下の前記コミュニティメンバまたは前記スマートデバイスの情報を提示するために、前記インスタントメッセージアプリケーションにおいて組織構成ページを表示するように構成される提示ユニットと、を備える、前記装置。
【請求項１４】
前記コミュニティメンバが、前記組織構成内の対応するメンバ管理レベルに分類され、前記スマートデバイスが、前記組織構成内の対応する機器管理レベルに分類され、前記提示ユニットは、
前記組織構成ページを表示し、前記組織構成ページが、前記メンバ管理レベルに対応するメンバ管理レベルポータル、及び前記機器管理レベルに対応する機器管理レベルポータルを含み、
任意のメンバ管理レベルポータルのためのトリガ動作が検出されるとき、前記対応するメンバ管理レベル下の前記コミュニティメンバの前記情報を提示し、任意の機器管理レベルポータルのためのトリガ動作が検出されるとき、前記対応する機器管理レベル下の前記スマートデバイスの前記情報を提示するように特に構成される、請求項１３に記載の装置。
【請求項１５】
前記スマートデバイスの動作状態を取得するように構成される状態取得ユニットと、
前記組織構成ページ内で前記スマートデバイスの前記動作状態を示すように構成される指示ユニットと、をさらに備える、請求項１３に記載の装置。
【請求項１６】
任意のスマートデバイスの前記情報がトリガされることが検出されるときに、前記スマートデバイスの詳細ページに切り替えるように構成される切り替えユニットであって、前記詳細ページが、前記スマートデバイスのための機能ボタンを含む、前記切り替えユニットと、
任意の機能ボタンがトリガされるとき、前記スマートデバイスのための対応する制御機能を実行するように構成される実行ユニットと、をさらに備える、請求項１３に記載の装置。
【請求項１７】
インスタントメッセージアプリケーションに基づく人員及び機器の集中管理のための方法であって、
インスタントメッセージセッションウィンドウをプリセットユーザに表示することであって、前記インスタントメッセージセッションウィンドウの対象通信相手が、プリセットスマートデバイスを含み、前記プリセットスマートデバイスが、前記プリセットユーザが属するプリセットコミュニティに関連付けられ、前記プリセットコミュニティの組織構成に追加される、前記表示することと、
前記インスタントメッセージセッションウィンドウ内で、前記プリセットユーザにより入力される特定インスタントメッセージングメッセージを取得することと、
対応するプリセット機能を前記プリセットスマートデバイスに実現させるために、前記特定インスタントメッセージングメッセージを送信することと、を含む、前記方法。
【請求項１８】
前記インスタントメッセージセッションウィンドウが、シングルチャットウィンドウであるとき、前記特定インスタントメッセージングメッセージが、前記プリセットユーザにより入力される任意のメッセージであり、
前記インスタントメッセージセッションウィンドウが、グループチャットウィンドウであるとき、前記特定インスタントメッセージングメッセージが、前記プリセットスマートデバイスのために前記プリセットユーザにより入力される特定識別を含む、請求項１７に記載の方法。
【請求項１９】
前記特定インスタントメッセージングメッセージを送信することが、
サーバが、制御命令を受信及び実行することによって対応するプリセット機能を前記プリセットスマートデバイスに実現させるために、前記特定インスタントメッセージングメッセージを識別することによって対応する前記制御命令を取得するように、前記特定インスタントメッセージングメッセージを前記サーバに送信すること、または、
前記プリセットスマートデバイスが、前記特定インスタントメッセージングメッセージを識別することによって対応する制御命令を取得し、前記制御命令を実行することによって対応するプリセット機能を実現するように、前記特定インスタントメッセージングメッセージを前記プリセットスマートデバイスに送信することを含む、請求項１７に記載の方法。
【請求項２０】
インスタントメッセージアプリケーションに基づく人員及び機器の集中管理のための装置であって、
インスタントメッセージセッションウィンドウを前記プリセットユーザに表示するように構成される提示ユニットであって、前記インスタントメッセージセッションウィンドウの対象通信相手が、プリセットスマートデバイスを含み、前記プリセットスマートデバイスが、前記プリセットユーザが属する前記プリセットコミュニティに関連付けられ、前記プリセットコミュニティの組織構成に追加される、前記提示ユニットと、
前記インスタントメッセージセッションウィンドウ内で前記プリセットユーザにより入力される特定インスタントメッセージングメッセージを取得するように構成される取得ユニットと、
対応するプリセット機能を前記プリセットスマートデバイスに実現させるために、前記特定インスタントメッセージングメッセージを送信するように構成される送信ユニットと、を備える、前記装置。
【請求項２１】
前記インスタントメッセージセッションウィンドウが、シングルチャットウィンドウであるとき、前記特定インスタントメッセージングメッセージが、前記プリセットユーザにより入力される任意のメッセージであり、
前記インスタントメッセージセッションウィンドウが、グループチャットウィンドウであるとき、前記特定インスタントメッセージングメッセージが、前記プリセットスマートデバイスのために前記プリセットユーザにより入力される特定識別を含む、請求項２０に記載の装置。
【請求項２２】
前記送信ユニットは、
サーバが、制御命令を受信及び実行することによって対応するプリセット機能を前記プリセットスマートデバイスに実現させるために、前記特定インスタントメッセージングメッセージを識別することによって対応する前記制御命令を取得するように、前記特定インスタントメッセージングメッセージを前記サーバに送信するように特に構成されるか、または、
前記プリセットスマートデバイスが、前記特定インスタントメッセージングメッセージを識別することによって対応する制御命令を取得し、前記制御命令を実行することによって対応するプリセット機能を実現するように、前記特定インスタントメッセージングメッセージを前記プリセットスマートデバイスに送信するように特に構成される、請求項２０に記載の装置。
【発明の詳細な説明】
【技術分野】
【０００１】
本出願は、２０１６年８月３日に出願された「Ｍｅｔｈｏｄ  ａｎｄ  Ａｐｐａｒａｔｕｓ  ｆｏｒ  Ｃｅｎｔｒａｌｉｚｅｄ  Ｍａｎａｇｅｍｅｎｔ  ｏｆ  Ｐｅｒｓｏｎｎｅｌ  ａｎｄ  Ｅｑｕｉｐｍｅｎｔ  Ｂａｓｅｄ  ｏｎ  Ｉｎｓｔａｎｔ  Ｍｅｓｓａｇｉｎｇ  Ａｐｐｌｉｃａｔｉｏｎ」と題する中国特許出願第２０１６１０６３０２６０．６号の優先権を主張し、その内容全体が参照により組み込まれる。
【０００２】
本出願は、通信技術の分野に関し、特に、インスタントメッセージアプリケーションに基づく人員及び機器の集中管理のための方法及び装置に関する。
【背景技術】
【０００３】
関連技術において、コミュニティ通信アプリケーションは、コミュニティに対応するグループを作成することによって、コミュニティ内のメンバ間の通信を容易にする。同時に、上記グループが、組織構成を通して効率的に管理され得るように、コミュニティ通信アプリケーションは、コミュニティ内の組織構成を対応するグループにも適用する。
【発明の概要】
【０００４】
この観点から、本出願は、インスタントメッセージアプリケーションに基づく人員及び機器の集中管理のための方法及び装置を提供し、それは、コミュニティ下のメンバ及びスマートデバイスの統合型管理を容易にするために、コミュニティの組織構成においてスマートデバイスの情報を追加及び提示することができる。
【０００５】
これらの目的を達成するために、本出願は、以下の技術的解決策を提供する。
【０００６】
本出願の第１の態様によれば、インスタントメッセージアプリケーションに基づく人員及び機器の集中管理のための方法が提案される。方法は、
プリセットコミュニティに結合されているスマートデバイスを判断することと、
プリセットコミュニティのコミュニティメンバが、インスタントメッセージアプリケーション内で組織構成ページを閲覧するときに、スマートデバイスの情報が、組織構成ページ内に提示されるように、スマートデバイスの情報をプリセットコミュニティの組織構成に追加することと、を含む。
【０００７】
本出願の第２の態様によれば、インスタントメッセージアプリケーションに基づく人員及び機器の集中管理のための方法が提案される。方法は、
プリセットコミュニティの組織構成を取得することであって、組織構成が、プリセットコミュニティのコミュニティメンバ及びプリセットコミュニティに関連付けられるスマートデバイスに対応する、取得することと、
プリセットコミュニティ下のコミュニティメンバまたはスマートデバイスの情報を提示するために、インスタントメッセージアプリケーションにおいて組織構成ページを表示することと、を含む。
【０００８】
本出願の第３の態様によれば、インスタントメッセージアプリケーションに基づく人員及び機器の集中管理のための装置が提案される。装置は、
プリセットコミュニティに結合されているスマートデバイスを判断するように構成される判断ユニットと、
プリセットコミュニティのコミュニティメンバが、インスタントメッセージアプリケーション内で組織構成ページを閲覧するときに、スマートデバイスの情報が、組織構成ページ内に提示されるように、スマートデバイスの情報をプリセットコミュニティの組織構成に追加するように構成される追加ユニットと、を含む。
【０００９】
本出願の第４の態様によれば、インスタントメッセージアプリケーションに基づく人員及び機器の集中管理のための装置が提案される。装置は、
プリセットコミュニティの組織構成を取得するように構成される取得ユニットであって、組織構成が、プリセットコミュニティのコミュニティメンバ及びプリセットコミュニティに関連付けられるスマートデバイスに対応する、取得ユニットと、
プリセットコミュニティ下のコミュニティメンバまたはスマートデバイスの情報を提示するために、インスタントメッセージアプリケーションにおいて組織構成ページを表示するように構成される提示ユニットと、を含む。
【００１０】
本出願の第５の態様によれば、インスタントメッセージアプリケーションに基づく人員及び機器の集中管理のための方法が提案される。方法は、
インスタントメッセージセッションウィンドウをプリセットユーザに表示することであって、インスタントメッセージセッションウィンドウの対象通信相手が、プリセットスマートデバイスを含み、プリセットスマートデバイスが、プリセットユーザが属するプリセットコミュニティに関連付けられ、プリセットコミュニティの組織構成に追加される、表示することと、
インスタントメッセージセッションウィンドウ内で、プリセットユーザにより入力される特定インスタントメッセージングメッセージを取得することと、
対応するプリセット機能をプリセットスマートデバイスに実現させるために、特定インスタントメッセージングメッセージを送信することと、を含む。
【００１１】
本出願の第６の態様によれば、インスタントメッセージアプリケーションに基づく人員及び機器の集中管理のための装置が提案される。装置は、
インスタントメッセージセッションウィンドウをプリセットユーザに表示するように構成される提示ユニットであって、インスタントメッセージセッションウィンドウの対象通信相手が、プリセットスマートデバイスを含み、プリセットスマートデバイスが、プリセットユーザが属するプリセットコミュニティに関連付けられ、プリセットコミュニティの組織構成に追加される、提示ユニットと、
インスタントメッセージセッションウィンドウ内でプリセットユーザにより入力される特定インスタントメッセージングメッセージを取得するように構成される取得ユニットと、
対応するプリセット機能をプリセットスマートデバイスに実現させるために、特定インスタントメッセージングメッセージを送信するように構成される送信ユニットと、を備える。
【００１２】
上記技術的解決策に示されるように、本出願は、コミュニティメンバが、コミュニティに結合されているスマートデバイスを素早く閲覧し操作するために、関係するスマートデバイスの情報を組織構成を通して閲覧することができるように、スマートデバイスとコミュニティとの間の結合関係を取得して、結合スマートデバイスを対応するコミュニティの組織構成に追加する。それによって、コミュニティ内のスマートデバイスの効率的な管理が可能となる。
【図面の簡単な説明】
【００１３】
【図１】関連技術における組織構成のインタフェースの概略図である。
【図２】関連技術における組織構成のインタフェースの別の概略図である。
【図３】本出願の例示的実施形態による、サーバ側に基づいた、インスタントメッセージアプリケーションに基づく人員及び機器の集中管理のための方法のフローチャートである。
【図４】本出願の例示的実施形態による、端末側に基づいた、インスタントメッセージアプリケーションに基づく人員及び機器の集中管理のための方法のフローチャートである。
【図５】本出願の例示的実施形態による、インスタントメッセージアプリケーションに基づく人員及び機器の集中管理のための方法のフローチャートである。
【図６】本出願の例示的実施形態による、スマート勤怠マシンの概略図である。
【図７】本出願の例示的実施形態による、インスタントメッセージアプリケーションに基づく人員及び機器の集中管理のインタフェースの概略図である。
【図８】本出願の例示的実施形態による、インスタントメッセージアプリケーションに基づく人員及び機器の集中管理の別のインタフェースの概略図である。
【図９】本出願の例示的実施形態による、インスタントメッセージアプリケーションに基づく人員及び機器の集中管理の別のインタフェースの概略図である。
【図１０】本出願の例示的実施形態による、インスタントメッセージアプリケーションに基づく人員及び機器の集中管理の別のインタフェースの概略図である。
【図１１】本出願の例示的実施形態による、インスタントメッセージアプリケーションに基づく人員及び機器の集中管理の別のインタフェースの概略図である。
【図１２】本出願の例示的実施形態による、サーバ側に基づく電子デバイスの構造の概略図である。
【図１３】本出願の例示的実施形態による、サーバ側に基づいた、インスタントメッセージアプリケーションに基づく人員及び機器の集中管理のための装置のブロック図である。
【図１４】本出願の例示的実施形態による、端末側に基づく電子デバイスの構造の概略図である。
【図１５】本出願の例示的実施形態による、端末側に基づいた、インスタントメッセージアプリケーションに基づく人員及び機器の集中管理のための装置のブロック図である。
【図１６】本出願の例示的実施形態による、端末側に基づいた、インスタントメッセージアプリケーションに基づく人員及び機器の集中管理のための別の方法のフローチャートである。
【図１７】本出願の例示的実施形態による、インスタントメッセージアプリケーションに基づく人員及び機器の集中管理のインタフェースの概略図である。
【図１８】本出願の例示的実施形態による、インスタントメッセージアプリケーションに基づく人員及び機器の集中管理のシナリオの概略図である。
【図１９】本出願の例示的実施形態による、インスタントメッセージアプリケーションに基づく人員及び機器の集中管理の別のシナリオの概略図である。
【図２０】本出願の例示的実施形態による、端末側に基づく別の電子デバイスの構造の概略図である。
【図２１】本出願の例示的実施形態による、端末側に基づいた、インスタントメッセージアプリケーションに基づく人員及び機器の集中管理のための別の装置のブロック図である。
【発明を実施するための形態】
【００１４】
関連技術において、コミュニティメンバの管理及びコミュニティメンバ間の通信を容易にするために、コミュニティ通信アプリケーションは、コミュニティについての対応するグループを作成し、コミュニティメンバをグループのメンバとして追加してもよく、グループの組織構成が、グループに適用される。エンタープライズインスタントメッセージ（ＥＩＭ）「ＤＩＮＧ  Ｔａｌｋ」を実施例に取ると、図１に示されるように、ユーザが会社Ａの従業員であるとき、ユーザ及び会社Ａの他の従業員は、「ＤＩＮＧ  Ｔａｌｋ」内の会社Ａの対応するグループのメンバとして追加され、ユーザは、図１に示される連絡先ページ内の会社Ａに対応する「組織構成」ポータルを閲覧することができる。
【００１５】
「組織構成」ポータルをトリガすることによって、図２に示される組織構成ページが表示され得る。会社Ａが、「研究開発部門」、「設計部門」、「セキュリティ部門」、「販売部門」などの（部門、ビジネスグループなどに対応する）メンバ管理レベルを含むとき、組織構成ページは、対応する部門内の従業員を管理するための、上述のメンバ管理レベルにそれぞれ対応するポータル、即ち、「研究開発部門」、「設計部門」、「セキュリティ部門」、及び「販売部門」として図２に示される機能オプションを含む。次いで、メンバ管理レベルの「販売部門」に対応するポータル（即ち、オプション）がトリガされると仮定すると、ユーザは、図２に示される「ＭＡ」、「ＭＢ」などの従業員を閲覧することができる。これらの従業員は、通信イベントを開始するために、メンバ管理レベルの「販売部門」に属する。
【００１６】
一方、従来技術におけるコミュニティ通信アプリケーションでは、コミュニティの組織構成は、コミュニティメンバのみを含み、即ち、管理は、「人」に対してのみ行われる。実際には、コミュニティは、スマート勤怠マシン及びスマートルータなどの多様なスマートデバイスを有することがあり、これらのスマートデバイスは、しばしば、それらの役割及び効果を果たすことができるように、異なる場所にセットアップされる必要がある。その結果、これらのスマートデバイスを管理する際、コミュニティメンバは、各スマートデバイスまで長い距離を移動する必要があり、それは、これらのスマートデバイスの協調型管理のために非常に時間を消費し、面倒かつ不便である。
【００１７】
したがって、本出願は、新たな機器管理ソリューションを提案することによって、関連技術における上記問題を解決し得る。本出願をさらに説明するために、以下の実施例が与えられる。
【００１８】
図３は、本出願の例示的実施形態による、サーバ側に基づいた、インスタントメッセージアプリケーションに基づく人員及び機器の集中管理のための方法のフローチャートである。図３に示されるように、方法は、サーバに適用され、以下のステップを含んでもよい。
【００１９】
ステップ３０２において、プリセットコミュニティに結合されているスマートデバイスが、判断される。
【００２０】
本実施形態では、任意のスマートデバイスについてプリセットコミュニティの管理ユーザの結合管理要求を受信するとき、サーバは、任意のスマートデバイスをプリセットコミュニティに結合または解放してもよい。
【００２１】
本実施形態では、管理ユーザは、管理レベルがプリセットレベルよりも高い管理スタッフ、または管理者、副管理者、プリセットコミュティに対応するグループのグループ所有者などであってもよい。
【００２２】
本実施形態では、スマートデバイスは、プリセットコミュニティに属するスマート勤怠マシン、スマートルータ、スマートプリンタなどの公共デバイスであってもよい。これらのスマートデバイスは、コミュニティ通信アプリケーションのサーバとリモート接続を確立してもよく、それによって、コミュニティメンバ（上述の管理スタッフまたは普通の従業員など）が、これらのスマートデバイスの組立場所まで足を運ばなくとも、これらのスマートデバイスを使用する、またはそれらを構成するなど、コミュニティ通信アプリケーションを通してこれらのスマートデバイスを管理することが可能となる。このことが、スマートデバイスの管理効率向上の助けとなる。
【００２３】
ステップ３０４において、プリセットコミュニティのコミュニティメンバが、組織構成ページを閲覧するときに、スマートデバイスの情報が、組織内に表示されるように、スマートデバイスの情報が、プリセットコミュニティの組織構成に追加される。
【００２４】
本実施形態では、サーバは、組織構成において機器管理レベルを追加し、スマートデバイスの情報を機器管理レベルに関連付けてもよい。組織構成は、コミュニティメンバに対応する複数のメンバ管理レベルをさらに含み、プリセットコミュニティのコミュニティメンバの情報が、対応するメンバ管理レベルに関連付けられる。
【００２５】
さらに、機器管理レベルは、複数のサブレベルをさらに含んでもよく、各サブレベルは、同一種類のスマートデバイスに対応し、それによって、同一種類のスマートデバイスを均等に管理し、グループ内の異なる種類のスマートデバイスを管理する。例えば、コミュニティが、２つのスマート勤怠マシン及び１つのスマートプリンタに関連付けられるとき、「スマート勤怠マシン」及び「スマートプリンタ」に対応するサブレベルが、個々に作成されてもよく、「スマート勤怠マシン」サブレベルは、２つのスマート勤怠マシンを管理するために使用され、「スマートプリンタ」サブレベルは、１つのスマートプリンタを管理するために使用される。
【００２６】
これに対応して、図４は、本出願の例示的実施形態による、端末側に基づいた、インスタントメッセージアプリケーションに基づく人員及び機器の集中管理のための方法のフローチャートである。図４に示されるように、方法は、端末の役割をする電子デバイスに適用され、以下のステップを含んでもよい。
【００２７】
ステップ４０２において、プリセットコミュニティの組織構成が取得され、組織構成は、プリセットコミュニティのコミュニティメンバ及びプリセットコミュニティに関連付けられるスマートデバイスに対応する。
【００２８】
ステップ４０４において、組織構成ページが、プリセットコミュニティ下のコミュニティメンバまたはスマートデバイスの情報を提示するために表示される。
【００２９】
本実施形態では、コミュニティメンバは、組織構成内の対応するメンバ管理レベルに分類されてもよく、スマートデバイスは、組織構成内の対応する機器管理レベルに分類される。次いで、端末は、組織構成ページを表示してもよく、組織構成ページは、メンバ管理レベルに対応するメンバ管理レベルポータル、及び機器管理レベルに対応する機器管理レベルポータルを含む。
【００３０】
任意のメンバ管理レベルポータルのためのトリガ動作が検出されるとき、端末は、対応するメンバ管理レベル下のコミュニティメンバの情報を提示してもよい。任意の機器管理レベルポータルのためのトリガ動作が検出されるとき、端末は、対応する機器管理レベル下のスマートデバイスの情報を提示してもよい。このように、スマートデバイスをコミュニティに結合すること、及び機器管理レベルを組織構成に追加することによって、コミュニティメンバは、これらのスマートデバイスを管理するために、コミュニティに結合されたスマートデバイスを端末上で直接閲覧することができる。
【００３１】
さらに、端末は、スマートデバイスの動作状態をさらに取得してもよい。例えば、動作状態は、スマートデバイスによってサーバに報告されてもよく、同様にサーバによって端末に通知されてもよい。その際、端末は、スマートデバイスの動作状態を組織構成ページ内に示してもよい。それによって、コミュニティメンバは、チェックのためにスマートデバイスまで足を運ばなくとも、スマートデバイスの動作状態を端末を通して素早く知ることができ、それが、スマートデバイスの管理効率向上の助けとなる。
【００３２】
さらに、スマートデバイスのうちのいずれか１つの情報がトリガされることを検出するとき、端末は、この１つのスマートデバイスの詳細ページに切り替えてもよく、詳細ページは、この１つのスマートデバイスのための機能ボタンを含む。任意の機能ボタンがトリガされると、端末は、この１つのスマートデバイスのための対応する制御機能を実行してもよい。それによって、コミュニティメンバは、端末を通してスマートデバイスをリモートで制御してもよく、例えば、コミュニティメンバは、スマートデバイスをリモートで有効化、無効化、または制御し得る。
【００３３】
理解を容易にするために、本出願によるインスタントメッセージアプリケーションに基づく人員及び機器の集中管理方式は、図５に対する参照と組み合わせて、端末、サーバ、及びスマートデバイス間の対話プロセスを参照して、以下で詳細に説明される。図５は、本出願の例示的実施形態によって提供される機器管理方法のフローチャートである。図５に示されるように、方法は、以下のステップを含んでもよい。
【００３４】
ステップ５０２において、スマートデバイスは、アクティベーションコード取得要求をサーバに送信する。
【００３５】
ステップ５０４において、サーバは、アクティベーションコードをスマートデバイスに割り当てる。
【００３６】
本実施形態では、スマートデバイスの電源が入れられた後、記憶空間にアクティベーションコードが存在するかどうかが、チェックされてもよい。存在する場合、方法は、ステップ５０６Ｂに直接進んでもよく、そうでない場合、アクティベーションコード取得要求がサーバに送信されてもよい。それによって、サーバは、一意に対応するアクティベーションコードをスマートデバイスに割り当てる。アクティベーションコードは、スマートデバイスに一意に対応するため、アクティベーションコードは、スマートデバイスの識別情報として使用されてもよい。
【００３７】
本実施形態では、スマートデバイスが、サーバによって割り当てられるアクティベーションコードを受信した後、アクティベーションコードが、記憶空間に保存されてもよく、アクティベーションコードは、それ以降常に適用される。代替的に、スマートデバイスは、取得されたアクティベーションコードをプリセット期間に従って能動的に期間経過したとしてもよく、サーバから新たなアクティベーションコードを要求してもよい。それによって、サーバは、新たなアクティベーションコードを使用して、古いアクティベーションコード（即ち、期間経過したアクティベーションコード）を置換してもよく、例えば、アクティベーションコードとスマートデバイスとの間の、以下の対応関係を更新してもよい。
【００３８】
ステップ５０６Ａにおいて、サーバは、スマートデバイスとアクティベーションコードとの間の対応関係を記憶する。
【００３９】
本実施形態において、スマートデバイスによって送信されるアクティベーションコード取得要求には、スマートデバイスのＭＡＣアドレスなどが、スマートデバイスのＩＤ情報として含まれてもよく、それによって、サーバは、ＩＤ情報と割り当てられるアクティベーションコードとの間の対応関係を確立してもよい。
【００４０】
当然ながら、アクティベーションコードが更新される必要がない場合、アクティベーションコードは、事前にスマートデバイス内に書き込まれてもよく、アクティベーションコードとスマートデバイスとの間の対応関係が、サーバに記憶されてもよい。それによって、スマートデバイスは、上記ステップを通してアクティベーションコードを取得するようにサーバに要求することなく、アクティベーションコードを直接読み出し、使用し得る。
【００４１】
ステップ５０６Ｂにおいて、勤怠デバイスが、アクティベーションコードを提示する。
【００４２】
本実施形態において、図６に示されるスマート勤怠マシンを例に取ると、アクティベーションコードは、図６に示されるような２次元コード、または他の形態のグラフィックコードであってもよく、スマート勤怠マシンは、グラフィックコードを直接表示してもよい。代替的には、アクティベーションコードは、文字列またはその他の形態の非グラフィック情報であってもよく、スマートデバイスは、文字列を直接表示し、または文字列を変換して、図６に示すように変換されたグラフィックコードを表示するなどしてもよい。当然ながら、アクティベーションコードは、他の形態も取ってもよく、スマートデバイスもまた、より多くの方法でアクティベーションコードを表示してもよく、それは、本出願において限定されない。
【００４３】
ステップ５０８において、端末は、アクティベーションコードをスマートデバイスから読み取る。
【００４４】
本実施形態では、サーバのアプリケーションと互換性のあるクライアント端末が、電子デバイス上にインストールされてもよい。例えば、アプリケーションは、「ＤＩＮＧ  Ｔａｌｋ」などであってもよい。次いで、電子デバイスは、スマートデバイスによって提示される識別情報を取得してもよく、即ち、スマートデバイス上のアクティベーションコードをクライアント端末を通して読み取ってもよい。識別情報とスマートデバイスとの間の対応関係は、すでにサーバ上に記憶されている。
【００４５】
実施形態では、スマートデバイス上のアクティベーションコードが、グラフィックコードの形態であるとき、端末上のカメラコンポーネントが、クライアント端末上の「コードスキャン」機能を通してグラフィックコードを収集するように起動されてもよい。次いで、アクティベーションコードのコンテンツが、コンテンツ認識を通して読み取られる。例えば、図６に示される２次元コードを読み取ることによって、２次元コードに対応するアクティベーションコードは、「ｇｆｄ１ｓ５ｇ４５１ｆ２４ｓｇ５４ｓｇ２４１ｆｄ１」として認識され得る。
【００４６】
別の実施形態では、スマートデバイス上のアクティベーションコードが、文字列の形態であるとき、端末上のカメラコンポーネントは、クライアント端末上の関連機能を通して文字列を収集するように起動されてもよく、次いで、文字列が、例えば、ＯＣＲ（Ｏｐｔｉｃａｌ  Ｃｈａｒａｃｔｅｒ  Ｒｅｃｏｇｎｉｔｉｏｎ）及びその他の方法を通して認識される。当然ながら、クライアント端末は、また、入力ボックスを表示してもよく、それによって、ユーザは、端末が文字列に対する読み取り動作を完了するのを助けるために、スマートデバイス上に示される文字列を端末に手動で入力してもよい。
【００４７】
さらに、アクティベーションコードを読み取るようにユーザを導くために、図６に示されるスマート勤怠マシン上に、「ＤＩＮＧ  Ｔａｌｋで右側の２次元コードをスキャンして、デバイス結合を完了してください」といった文字情報が、対応するアクションを実行するのをユーザに気付かせるために表示されてもよい。
【００４８】
ステップ５１０において、サーバは、端末によって送信される結合管理要求を受信し、結合管理要求は、アクティベーションコードを含む。
【００４９】
ステップ５１２において、サーバは、コミュニティとスマートデバイスとの間の結合関係を確立する。
【００５０】
本実施形態において、端末は、アクティベーションコードを含む結合管理要求をサーバに送信してもよい。アクティベーションコードを抽出後、サーバは、アクティベーションコードが対応するスマートデバイスを、ステップ５０６Ａにおいて記憶される対応関係に従って判断する。
【００５１】
「端末」は、あるユーザアカウントを用いて登録される電子デバイスのことをいい、ユーザアカウントは、対応するユーザに属し、ユーザは、１つまたは複数のコミュニティに所属している。ユーザが、ただ１つのコミュニティに所属しているとき、サーバが、コミュニティとスマートデバイスとの間の結合関係を直接確立してもよい。ユーザが、複数のコミュニティに所属しているとき、端末が、図７に示されるコミュニティ選択ページを表示してもよい。このコミュニティ選択ページは、「アリババ」、「レイクサイド・ホーム」、「スーパー・インビンシブル・エクスペリエンス設計部隊」など、ユーザが所属している全てのコミュニティを含む。それによって、ユーザは、スマートデバイスが結合する必要がある１つまたは複数のコミュニティを選択し、判断し得る。次いで、サーバは、スマートデバイスと選択されたコミュニティとの間の結合関係を確立する。
【００５２】
ステップ５１４において、サーバは、スマートデバイスを組織構成に追加する。
【００５３】
ステップ５１６において、端末は、サーバによってプッシュされた組織構成データを受信する。
【００５４】
ステップ５１８において、端末は、組織構成を表示する。
【００５５】
本実施形態では、サーバは、機器管理レベルを図２に示される組織構成に基づく組織構成に追加する。それによって、組織構成は、「研究開発部門」、「設計部門」、などの図２に示されるメンバ管理レベルと、追加されたばかりの機器管理レベルとの両方を含む。その結果、スマートデバイスが組織構成を提示するとき、図８に示されるように、「セキュリティ部門」、「販売部門」などのメンバ管理レベルに対応するメンバ管理レベルポータル、及び「スマートデバイス」の機器管理レベルに対応する機器管理レベルポータルが、それぞれ表示されてもよい。
【００５６】
端末が、機器管理レベルポータルのためのトリガ動作を検出するとき、例えば、図８に示される「スマートデバイス」がトリガされるときに、図８に示される「ＤＩＮＧボックス」、「プリンタ」、「スマートルータ」、「スマート勤怠マシン」などの対応する機器管理レベルに属するスマートデバイスが、表示されてもよい。もちろん、組織構成は、複数の機器管理レベルを含んでもよい。例えば、スマートデバイスの種類に従って、対応する機器管理レベルが、スマートデバイスの各種類について作成されてもよく、対応する機器管理レベルポータルが、組織構成ページ内にそれぞれ表示されてもよい。
【００５７】
各機器管理レベルについて、サーバは、また、複数のサブレベルを作成してもよい。例えば、機器管理レベルが、複数の種類のスマートデバイスを含むとき、各サブレベルが、各スマートデバイスの種類に従って、スマートデバイスの各種類について作成されてもよい。例えば、図９に示されるように、機器管理レベル「スマートデバイス」を基にして、「ＤＩＮＧボックス」、「プリンタ」、「スマートルータ」、「スマート勤怠マシン」などの複数のサブレベルが、個々に作成されてもよい。この場合において、２つの勤怠マシンが存在するとき、これらの２つの勤怠マシンの両方が、サブレベル「スマート勤怠マシン」に分類されてもよく、「スマート勤怠マシン」に対応するサブレベルポータルがトリガされると、対応するスマートデバイスの情報、例えば、図９に示される勤怠マシン１、勤怠マシン２などが表示されてもよい。
【００５８】
ステップ５２０において、サーバは、スマートデバイスの動作状態を取得し、それを端末にプッシュする。
【００５９】
ステップ５２２において、端末は、スマートデバイスの動作状態を表示する。
【００６０】
本実施形態では、スマートデバイスの動作状態が変化したとき、スマートデバイスが、その動作状態をサーバに通知してもよい。それによって、サーバは、動作状態を端末にさらにプッシュし、次いで、端末は、対応するスマートデバイスの動作状態を示す。当然ながら、サーバは、スマートデバイスにその動作状態について周期的に問い合わせを行ってもよく、または、動作状態の情報が、他の方法によって収集されてもよく、それは、本出願において限定されない。
【００６１】
例えば、図８及び図９に示されるように、「プリンタ」、「スマートルータ」などのスタンバイ状態のスマートデバイスについて、「〇」がその動作状態を示すために使用されてもよく、「ＤＩＮＧボックス」などの使用中のスマートデバイスについて、「●」及び「使用中」または他の語句が、対応する動作状態を示すために使用されてもよい。
【００６２】
ステップ５２４において、端末は、スマートデバイスについての制御要求をサーバに送信する。
【００６３】
ステップ５２６において、サーバは、受信された制御要求に従って、対応する制御命令をスマートデバイスに送信する。
【００６４】
本実施形態では、任意のスマートデバイスの情報がトリガされることが検出されると、端末は、組織構成ページからスマートデバイスの詳細ページに切り替えてもよく、詳細ページは、スマートデバイスのための機能ボタンを含む。例えば、図８または図９に示される「ＤＩＮＧボックス」がトリガされると、それは、図１０に示される詳細ページに切り替えられてもよい。詳細ページは、「会議室２０２」である「組立場所」、「使用中」である「使用状態」などの、スマートデバイス「ＤＩＮＧボックス」の情報を含む。同時に、詳細ページは、右上隅の「解放」及び下部の「無効化」などの、「ＤＩＮＧボックス」のための機能ボタンも含む。
【００６５】
次いで、任意の機能ボタンがトリガされると、端末は、スマートデバイスのための対応する制御機能を実行してもよい。例えば、「無効化」ボタンがトリガされると、端末は、サーバに対して「ＤＩＮＧボックス」のための制御要求を開始してもよく、サーバは、「ＤＩＮＧボックス」に対する「無効化」制御を実行するために、制御命令を「ＤＩＮＧボックス」にさらに送信する。
【００６６】
別の実施例として、図９に示される「勤怠マシン１」がトリガされると、勤怠マシン１は、図１１に示される詳細ページに切り替えられてもよい。詳細ページは、「３階、ビル１」である「組立場所」、「スタンバイ」である「使用状態」などの、スマートデバイス「勤怠マシン１」の情報を含む。同時に、詳細ページは、右上隅の「解放」及び下部の「勤怠統計データを閲覧」などの、「勤怠マシン１」のための機能ボタンも含む。
【００６７】
当然ながら、ステップ５２４〜５２６において、端末は、また、制御命令をサーバに直接送信してもよく、次いで、サーバは、制御命令を個別に生成することなく、制御命令を対応するスマートデバイスに直接転送する。
【００６８】
要約すると、本出願において、コミュニティに結合されているスマートデバイスを素早く閲覧し操作するために、コミュニティメンバが関係するスマートデバイスの情報を組織構成を通して閲覧することができるように、スマートデバイスとコミュニティとの間の結合関係を取得することに基づいて、結合スマートデバイスが、対応するコミュニティの組織構成に追加される。それによって、コミュニティ内のスマートデバイスの効率的な管理を実現する。
【００６９】
図１２は、本出願の例示的実施形態による、電子デバイスの構造の概略図を示す。図１２を参照すると、ハードウェアレベルにおいて、電子デバイスは、プロセッサ１２０２、内部バス１２０４、ネットワークインタフェース１２０６、メモリ１２０８、及び不揮発性メモリ１２１０を含む。当然ながら、電子デバイスは、他のサービスに必要なハードウェアも含んでもよい。プロセッサ１２０２は、対応するコンピュータプログラムを不揮発性メモリ１２１０からメモリ１２０２に読み出し、次いで、それを実行して、論理レベルにおいて機器管理装置を形成する。当然ながら、ソフトウェア実施態様に加えて、本出願は、論理デバイスまたはソフトウェア及びハードウェアの組み合わせなどによる実施態様などの、他の実施態様を除外しない。即ち、以下の処理フローの実行本体は、各論理ユニットに限定されず、ハードウェアまたは論理デバイスであってもよい。
【００７０】
図１３を参照して、ソフトウェア実施態様の方式において、機器管理装置は、判断ユニット１３０２及び追加ユニット１３０４を含んでもよい。
【００７１】
判断ユニット１３０２は、プリセットコミュニティに結合されているスマートデバイスを判断する。
【００７２】
追加ユニット１３０４は、プリセットコミュニティのコミュニティメンバが、組織構成ページを閲覧するときに、スマートデバイスの情報が、組織構成ページ内に提示されるように、スマートデバイスの情報をプリセットコミュニティの組織構成に追加するように構成される。
【００７３】
任意選択で、追加ユニット１３０４は、具体的には、組織構成において機器管理レベルを追加し、スマートデバイスの情報を機器管理レベルに関連付けるように構成される。
【００７４】
組織構成は、コミュニティメンバに対応する複数のメンバ管理レベルをさらに含み、プリセットコミュニティのコミュニティメンバの情報が、対応するメンバ管理レベルに関連付けられる。
【００７５】
任意選択で、機器管理レベルは、複数のサブレベルを含み、各サブレベルは、同一種類のスマートデバイスに対応する。
【００７６】
任意選択で、機器管理装置は、管理ユニット１３０６も含み、任意のスマートデバイスのためのプリセットコミュニティの管理ユーザの結合管理要求を受信すると、管理ユニット１３０６は、プリセットコミュニティへスマートデバイスを結合または解放する。
【００７７】
図１４は、本出願の例示的実施形態による、電子デバイスの構造の概略図を示す。図１４を参照すると、ハードウェアレベルにおいて、電子デバイスは、プロセッサ１４０２、内部バス１４０４、ネットワークインタフェース１４０６、メモリ１４０８、及び不揮発性メモリ１４１０を含む。当然ながら、それは、他のサービスに必要なハードウェアも含んでもよい。プロセッサ１４０２は、対応するコンピュータプログラムを不揮発性メモリ１４１０からメモリ１４０２に読み出し、次いで、それを実行して、論理レベルにおいて機器管理装置を形成する。当然ながら、ソフトウェア実施態様に加えて、本出願は、論理デバイスまたはソフトウェア及びハードウェアの組み合わせなどによる実施態様などの、他の実施態様を除外しない。即ち、以下の処理フローの実行本体は、各論理ユニットに限定されず、ハードウェアまたは論理デバイスであってもよい。
【００７８】
図１５を参照すると、ソフトウェア実施態様において、機器管理装置は、取得ユニット１５０２、及び提示ユニット１５０４を含んでもよい。
【００７９】
取得ユニット１５０２は、プリセットコミュニティの組織構成を取得するように構成され、組織構成は、プリセットコミュニティのコミュニティメンバ及びプリセットコミュニティに関連付けられるスマートデバイスに対応する。
【００８０】
提示ユニット１５０４は、プリセットコミュニティ下のコミュニティメンバまたはスマートデバイスの情報を提示するために、組織構成ページを表示する。
【００８１】
任意選択で、コミュニティメンバは、組織構成内の対応するメンバ管理レベルに分類され、スマートデバイスは、組織構成内の対応する機器管理レベルに分類される。提示ユニット１５０４は、具体的には組織構成ページを表示するように構成され、組織構成ページは、メンバ管理レベルに対応するメンバ管理レベルポータル、及び機器管理レベルに対応する機器管理レベルポータルを含む。
【００８２】
任意のメンバ管理レベルポータルのためのトリガ動作が検出されるときに、対応するメンバ管理レベル下のコミュニティメンバの情報が提示される。任意の機器管理レベルポータルのためのトリガ動作が検出されるときに、対応する機器管理レベル下のスマートデバイスの情報が提示される。
【００８３】
任意選択で、機器管理装置は、スマートデバイスの動作状態を取得するように構成される状態取得ユニット１５０６、及び組織構成ページ内でスマートデバイスの動作状態を示す標識ユニット１５０８も含む。
【００８４】
任意選択で、機器管理装置は、切り替えユニット１５１０も含み、任意のスマートデバイスの情報がトリガされたことを検出するとき、切り替えユニット１５１０は、スマートデバイスの詳細ページへの切り替えを実現し、詳細ページは、スマートデバイスについての機能ボタンを含む。
【００８５】
機器管理装置は、機能ボタンのいずれかがトリガされるときにスマートデバイスのための対応する制御機能を実行する、実行ユニット１５１２も含んでもよい。
【００８６】
図１６は、本出願の例示的実施形態による、インスタントメッセージアプリケーションに基づく人員及び機器の集中管理のための方法のフローチャートを示す。図１６に示されるように、方法は、電子デバイスに適用され、以下のステップを含んでもよい。
【００８７】
ステップ１６０２において、インスタントメッセージセッションウィンドウが、プリセットユーザに対して表示され、インスタントメッセージセッションウィンドウの対象通信相手は、プリセットスマートデバイスを含む。
【００８８】
本実施形態では、プリセットスマートデバイスは、プリセットユーザが属するプリセットコミュニティに関連付けられ、プリセットコミュニティの組織構成に追加される。即ち、プリセットスマートデバイスは、図８に示されるＤＩＮＧボックス、プリンタ、スマートルータ、スマート勤怠マシンなどの、図３〜図５に示される上記実施形態における「スマートデバイス」として理解され得る。
【００８９】
スマートデバイスをプリセットコミュニティに関連付けること、及びそれをプリセットコミュニティの組織構成に追加することによって、組織構成を提示するためのインスタントメッセージアプリケーションの機能と組み合わせて、プリセットコミュニティのコミュニティメンバ（上記プリセットユーザなど）は、インスタントメッセージアプリケーション上でスマートデバイスの高速かつ便利な管理を実施し得る。インスタントメッセージアプリケーションは、エンタープライズインスタントメッセージアプリケーションであってもよく、例えば、以下では、コーポレートインスタントメッセージアプリケーション「ＤＩＮＧ  Ｔａｌｋ」を実施例に取って説明される。
【００９０】
ステップ１６０４において、インスタントメッセージセッションウィンドウ内で、プリセットユーザにより入力される特定インスタントメッセージングメッセージが取得される。
【００９１】
ステップ１６０６において、プリセットスマートデバイスが対応するプリセット機能を実行するように、特定インスタントメッセージングメッセージが送信される。
【００９２】
本実施形態では、各スマートデバイスが多くの機能を実行し得るため、全ての機能が、仮想ボタンなどによって、図１０及び図１１において示されるような詳細ページ内で提示される場合、電子デバイス上には十分な表示空間が存在しない場合があり、ユーザは、複数の仮想ボタンの中から閲覧及び選択する必要がある。それは、ユーザ操作の助けにはならず、結果として低いユーザ操作効率と、不十分なユーザエクスペリエンスをもたらす。したがって、本出願において、スマートデバイスをコミュニティの組織構成に追加することに基づいて、スマートデバイスは、さらに「個別化」され、それによって、コミュニティメンバが、スマートデバイスと直接「通信」し、インスタントメッセージ機能及び機器管理機能を深く統合し、ユーザが所望の機能を手動で閲覧及び選択する必要性を除去し、ユーザ操作を単純化するのを助け、ユーザ操作効率及びユーザエクスペリエンスを強化し得る。
【００９３】
スマートデバイス「勤怠マシン１」を実施例に取ると、図１７に示される詳細ページにおいて、例えば、「チャットを開始」ポータルが表示されてもよい。それによって、プリセットユーザがポータルをトリガした後、ポータルは、図１８に示される電子デバイス上のインスタントメッセージセッションウィンドウに切り替えて、勤怠マシン１の管理を実現するために、プリセットユーザがインスタントメッセージセッションウィンドウを通して勤怠マシン１と「通信」することを可能にする。
【００９４】
インスタントメッセージセッションウィンドウがシングルチャットウィンドウであると仮定される１つの場合において、プリセットユーザは、任意のメッセージを入力してもよく、電子デバイスは、それを対応するスマートデバイスの制御を実現するための特定インスタントメッセージングメッセージと考える。例えば、プリセットユーザが、図１７に示される詳細ページから、プリセットユーザと勤怠マシン１との間のシングルチャットウィンドウである、図１８に示されるインスタントメッセージセッションウィンドウに切り替えるとき、プリセットユーザが、その日の勤怠統計データを閲覧したいと仮定すると、彼／彼女は、「今日の勤怠統計データ」と直接入力してもよく、次いで、電子デバイスは、直接それを勤怠マシン１を制御するための特定インスタントメッセージングメッセージと考えて、その日の勤怠統計データを返してもよい。
【００９５】
電子デバイスは、まず、特定インスタントメッセージングメッセージをサーバに送信してもよく、次いで、サーバは、特定インスタントメッセージングメッセージを識別した後、対応する制御命令を取得し、制御命令を勤怠マシン１に送信し、次いで、勤怠マシン１が、制御命令を実行することによって、その日の勤怠統計データを取得してもよい。勤怠統計データ（勤怠マシン１のプリセット機能の処理データとして）は、サーバによって電子デバイスに転送されてもよく、図１８において示される「会話」方式（または、任意の他の方式、プリセットアプリケーションは、これらの方式に限定されない）として表わされてもよい。
【００９６】
インスタントメッセージセッションウィンドウがグループチャットウィンドウであると仮定される別の場合において、ユーザは、入力コンテンツにおいてプリセットスマートデバイスのための特定識別を追加する必要があり、それによって、電子デバイスは、対応するプリセットスマートデバイスの制御を実現するための特定インスタントメッセージングメッセージとしてそれを識別し得る。例えば、図１９に示されるように、インスタントメッセージセッションウィンドウが、グループ「ワークグループ」のグループチャットウィンドウであり、プリセットユーザが、プリンタのインク残量を知りたいと仮定されるときに、プリセットユーザが、「インク残量」と直接入力する場合、プリンタに加えて他のユーザ、スマートデバイスなどが存在するため、入力コンテンツは、通常のインスタントメッセージングメッセージとして送信されることとなる。プリセットユーザが、例えば、「＠プリンタ  インク残量」と入力する場合、プリンタのための特定識別である「＠プリンタ」が存在するため、電子デバイスは、それが、インク残量を返すようにプリンタを制御するためのプリンタ用の特定インスタントメッセージングメッセージであると判断し得る。
【００９７】
グループチャットの場合、図１８に示される処理モードが、依然として採用されてもよく、即ち、電子デバイスは、識別のために特定インスタントメッセージングメッセージをサーバに送信し、サーバは、取得した制御命令をスマートデバイスによる実行のためにスマートデバイスに送信し、対応する機能を実現する。
【００９８】
代替的には、グループチャットの場合、図１９に示される処理モードが使用されてもよく、即ち、電子デバイスが特定インスタントメッセージングメッセージをサーバに送信した後、サーバは、プリンタなどのスマートデバイスにメッセージを直接転送する。それによって、プリンタなどのスマートデバイスは、インスタントメッセージングメッセージを能動的に識別して、対応する機能を実現するために対応する制御命令を生成及び実行してもよい。例えば、電子デバイスが、処理データ（即ち、「インク残量：３５％」）を提示するために図１９に示される「会話」方式を使用し得るように、インク残量自体を読み出した後でサーバを通して電子デバイスに通知する。当然ながら、図１９に示される上記処理方式は、シングルチャットのシナリオにも適用されてもよい。プリセットアプリケーションは、これらの状況に限定されない。
【００９９】
図２０は、本出願の例示的実施形態による、電子デバイスの構造の概略図を示す。図２０を参照すると、ハードウェアレベルにおいて、電子デバイスは、プロセッサ２００２、内部バス２００４、ネットワークインタフェース２００６、メモリ２００８、及び不揮発性メモリ２０１０を含む。当然ながら、電子デバイスは、他のサービスに必要なハードウェアも含んでもよい。プロセッサ２００２は、対応するコンピュータプログラムを不揮発性メモリ２０１０からメモリ２００２に読み出し、次いで、それを実行して、論理レベルにおいて機器管理装置を形成する。当然ながら、ソフトウェア実施態様に加えて、本出願は、論理デバイスまたはソフトウェア及びハードウェアの組み合わせなどによる実施態様などの、他の実施態様を除外しない。即ち、以下の処理フローの実行本体は、各論理ユニットに限定されず、ハードウェアまたは論理デバイスであってもよい。
【０１００】
図２１を参照すると、ソフトウェア実施態様において、機器管理装置は、提示ユニット２１０１、取得ユニット２１０２、及び送信ユニット２１０３を含んでもよい。
【０１０１】
提示ユニット２１０１は、インスタントメッセージセッションウィンドウをプリセットユーザに対して表示し、インスタントメッセージセッションウィンドウの対象通信相手は、プリセットスマートデバイスを含み、プリセットスマートデバイスは、プリセットユーザが属するプリセットコミュニティに関連付けられ、プリセットコミュニティの組織構成に追加される。
【０１０２】
取得ユニット２１０２は、インスタントメッセージセッションウィンドウ内でプリセットユーザにより入力される特定インスタントメッセージングメッセージを取得する。
【０１０３】
送信ユニット２１０３は、対応するプリセット機能をプリセットスマートデバイスに実現させるために、特定インスタントメッセージングメッセージを送信する。
【０１０４】
任意選択で、インスタントメッセージセッションウィンドウが、シングルチャットウィンドウであるとき、特定インスタントメッセージングメッセージは、プリセットユーザにより入力される任意のメッセージであり、インスタントメッセージセッションウィンドウが、グループチャットウィンドウであるとき、特定インスタントメッセージングメッセージは、プリセットスマートデバイスのためにプリセットユーザにより入力される特定識別を含む。
【０１０５】
任意選択で、送信ユニット２１０３は、具体的には、特定インスタントメッセージングメッセージをサーバに送信するように構成され、それによって、サーバは、制御命令を受信及び実行することによって、対応するプリセット機能をプリセットスマートデバイスに実現させるために、特定インスタントメッセージングメッセージを識別することによって対応する制御命令を取得する。
【０１０６】
代替的には、送信ユニット２１０３は、プリセットスマートデバイスが、特定インスタントメッセージングメッセージを識別することによって対応する制御命令を取得し、制御命令を実行することによって対応するプリセット機能を実現するように、特定インスタントメッセージングメッセージをプリセットスマートデバイスに送信するように構成される。
【０１０７】
典型的な構成では、コンピューティングデバイスは、１つまたは複数のプロセッサ（ＣＰＵ）、１つまたは複数の入力／出力インタフェース、１つまたは複数のネットワークインタフェース、及び１つまたは複数のメモリを含む。
【０１０８】
メモリは、コンピュータ可読媒体の中でも、非永続メモリ、ランダムアクセスメモリ（ＲＡＭ）、及び／または、例えば、読み取り専用メモリ（ＲＯＭ）またはフラッシュメモリなどの不揮発性メモリを含んでもよい。メモリは、コンピュータ可読媒体の実施例である。
【０１０９】
永続的及び非永続的、リムーバブル及び非リムーバブル媒体の両方を含む、コンピュータ可読媒体が、任意の方法または技術によって記憶されてもよい。情報は、コンピュータ可読命令、データ構造、プログラムモジュール、またはその他のデータであってもよい。コンピュータ記憶媒体の実施例は、相変化メモリ（ＰＲＡＭ）、スタティックランダムアクセスメモリ（ＳＲＡＭ）、ダイナミックランダムアクセスメモリ（ＤＲＡＭ）、その他の種類のランダムアクセスメモリ（ＲＡＭ）、読み取り専用メモリ（ＲＯＭ）、電気的消去可能なプログラマブル読み取り専用メモリ（ＥＥＰＲＯＭ）、フラッシュメモリ、もしくはその他のメモリ技術、コンパクトディスク読み取り専用メモリ（ＣＤ−ＲＯＭ）、デジタル多用途ディスク（ＤＶＤ）、もしくはその他の光記憶、磁気カセット、磁気テープ記憶、もしくはその他の磁気記憶デバイス、またはコンピューティングデバイスによってアクセスされ得る情報を記憶するために使用され得る任意のその他の非伝送媒体を含むが、これらに限定されない。ここで定義されるように、コンピュータ可読媒体は、変調データ信号及び搬送波などの、コンピュータ可読一時的媒体の一時的記憶を含まない。
【０１１０】
一連の要素を含むプロセス、方法、項目、もしくはデバイスが、それらの要素だけでなく、明示的に列挙されていない他の要素、またはそのようなプロセス、方法、項目、もしくはデバイスに固有の要素もまた含むように、「備える」、「備えている」という用語、または任意の他の変化形は、非排他的包含を含むように意図されると、また理解されるべきである。さらなる制限なしに、「．．．を備える」という句によって定義される要素は、その要素を含むプロセス、方法、項目、またはデバイス内において、追加の同一要素の存在を除外するものではない。
【０１１１】
例示的実施形態は、ここで詳細に説明され、それらの実施例は、添付図面に示される。以下の説明が添付図面に関係するとき、特段の指示がない限り、異なる図面内の同一参照番号は、同一または類似の要素を参照する。以下の例示的実施形態において説明される実施形態は、本出願と一貫した全ての実施形態を表すものではない。むしろ、それらは単に、添付の特許請求の範囲に詳述される本出願のいくつかの態様と一貫したデバイス及び方法の実施例に過ぎない。
【０１１２】
本出願において使用される用語は、特定の実施形態を説明する目的のみのためであり、限定することを意図するものではない。本出願及び特許請求の範囲において使用される単一形「ａ」、「ｓａｉｄ」、及び「ｔｈｅ」はまた、特段の指示がない限り、その複数形を含むように意図される。ここで使用される「及び／または」という用語は、関係する列挙項目のうちの１つまたは複数のいずれか、及び全ての可能な組み合わせを指し、包含すると、また理解されるべきである。
【０１１３】
第１の、第２の、第３の、などの用語が、多様な情報を説明するために本出願において使用され得るが、そのような情報は、これらの用語に限定されるべきでないと、理解されるべきである。これらの用語は、同一種類の情報を互いから区別するためにのみ、使用される。例えば、第１の情報は、本出願の範囲から逸脱することなく、第２の情報としても参照されてもよい。同様に、第２の情報もまた、第１の情報として参照されてもよい。文脈によれば、ここで使用される「場合」という語は、「判断に対する応答において」「とき」または「ところ」と解釈されてもよい。
【０１１４】
上記説明は、単なる本出願の好適な実施形態についてであり、本出願を限定することを意図するものではない。本出願の趣旨及び原理の範囲内で行われる、いかなる修正、等価な置換、改良なども、本出願の保護範囲内に入るべきである。
【図１】
2019530108.tif 000003
【図２】
2019530108.tif 000004
【図３】
2019530108.tif 000005
【図４】
2019530108.tif 000006
【図５】
2019530108.tif 000007
【図６】
2019530108.tif 000008
【図７】
2019530108.tif 000009
【図８】
2019530108.tif 000010
【図９】
2019530108.tif 000011
【図１０】
2019530108.tif 000012
【図１１】
2019530108.tif 000013
【図１２】
2019530108.tif 000014
【図１３】
2019530108.tif 000015
【図１４】
2019530108.tif 000016
【図１５】
2019530108.tif 000017
【図１６】
2019530108.tif 000018
【図１７】
2019530108.tif 000019
【図１８】
2019530108.tif 000020
【図１９】
2019530108.tif 000021
【図２０】
2019530108.tif 000022
【図２１】
2019530108.tif 000023
【国際調査報告】
2019530108.tif 000024
2019530108.tif 000025
2019530108.tif 000026
2019530108.tif 000027